(57)【特許請求の範囲】
【請求項１】
複数のリモコンからの指示を受け付ける機器であって、
ユーザを識別するユーザ識別情報を記憶したユーザ識別情報記憶媒体から取得するユーザ識別情報取得手段と、
当該機器に備えられた前記リモコンを識別するリモコン識別情報に対応付けて、当該リモコンを使用するユーザであるリモコン使用者の前記ユーザ識別情報を記憶するリモコン使用者記憶手段と、
前記ユーザ識別情報取得手段により取得された前記ユーザ識別情報を、前記リモコン識別情報に対応付けて前記リモコン使用者記憶手段に記憶する対応付け手段とを備えたことを特徴とする機器。
【請求項２】
情報を表示する表示手段と、
当該機器に対する指示を示す指示情報及び前記リモコン識別情報を前記リモコンから取得する指示取得手段と、
前記指示取得手段により取得された前記リモコン識別情報に対応付けられて前記リモコン使用者記憶手段に記憶されている前記ユーザ識別情報又は前記ユーザ識別情報に基づく情報を、前記指示情報の示す指示に応じて前記表示手段に表示させる表示制御手段とを備えたことを特徴とする請求項１に記載の機器。
【請求項３】
ユーザに関する情報であるユーザ情報を前記ユーザ識別情報に対応して記憶するユーザ情報記憶手段を備え、
前記表示制御手段は、前記ユーザ識別情報に対応して前記ユーザ情報記憶手段に記憶されている情報を前記ユーザ識別情報に基づく情報として前記表示手段に表示することを特徴とする請求項２に記載の機器。
【請求項４】
前記ユーザ識別情報に基づく情報は、ユーザの氏名であり、
前記表示制御手段は、前記ユーザ識別情報に基づく情報であるユーザの氏名を前記表示手段に表示することを特徴とする請求項２に記載の機器。
【請求項５】
前記リモコンがユーザに持たれたことを示す所持情報を前記リモコンから取得する所持情報取得手段を備え、
前記対応付け手段は、前記ユーザ識別情報取得手段により前記ユーザ識別情報が取得された場合に、前記リモコンのいずれかから前記所持情報を取得した場合に、当該所持情報の取得元の前記リモコンである所持リモコンの前記リモコン識別情報に対応付けて前記リモコン使用者記憶手段に記憶することを特徴とする請求項１乃至４のいずれかに記載の機器。
【請求項６】
前記リモコン使用者記憶手段においてリモコン使用者が対応付けられていない前記リモコンである未対応リモコンを報知する報知手段を備え、
前記対応付け手段は、前記ユーザ識別情報取得手段により前記ユーザ識別情報が取得された際に、前記報知手段により前記未対応リモコンを報知し、前記所持リモコンが前記未対応リモコンであった場合に、前記所持リモコンの前記リモコン識別情報に対応付けて前記リモコン使用者記憶手段に記憶することを特徴とする請求項５に記載の機器。
【請求項７】
前記対応付け手段は、前記所持リモコンが、前記リモコン使用者記憶手段においてリモコン使用者が対応付けられていない前記リモコンである未対応リモコンである場合にのみ、前記所持リモコンの前記リモコン識別情報に対応付けて前記リモコン使用者記憶手段に記憶することを特徴とする請求項５に記載の機器。
【請求項８】
前記リモコンがユーザに持たれたことを示す所持情報を前記リモコンから取得する所持情報取得手段を備え、
前記対応付け手段は、前記所持情報取得手段により前記所持情報が取得された場合に、前記リモコン使用者記憶手段において、前記所持情報を送信した前記リモコンの前記リモコン識別情報に前記ユーザ識別情報が対応付けられていなければ、前記ユーザ識別情報取得手段により前記ユーザ識別情報を取得し、前記所持情報を送信した前記リモコンの前記リモコン識別情報に対応させて前記リモコン使用者記憶手段に記憶させることを特徴とする請求項１乃至４のいずれかに記載の機器。
【請求項９】
前記ユーザ識別情報取得手段により前記ユーザ識別情報を取得した後、前記所持情報取得手段により前記所持情報を取得した際に、当該ユーザ識別情報で識別されるユーザをログイン状態とするログイン制御手段と、
前記ログイン状態を解除するログアウト制御手段とを備えたことを特徴とする請求項５又は８に記載の機器。
【請求項１０】
請求項１乃至９のいずれかに記載の機器の各種処理手段としてコンピュータを動作させることを特徴とする機器プログラム。
【発明の詳細な説明】
【技術分野】
【０００１】
本発明は、リモコンからの指示を受け付ける機器、及び機器プログラムに関するものであり、詳細には、複数のリモコンからの指示を受け付ける機器、及び機器プログラムに関するものである。
【背景技術】
【０００２】
従来、機器本体に対して、機器から離れた場所から指示を出すリモコン（リモートコントローラー）が使用されている。例えば、テレビやエアコンといった機器本体に対して指示を出すリモコンである。このような機器において、１つのリモコンだけではなく、複数のリモコンが対応付けられた機器が提案されている。例えば、特許文献１に記載の発明の映像視聴装置における番組制御装置では、リモコンに対して固定したリモコンＩＤを割り当て、どのリモコンからの操作信号であるのかを特定するために使用している。そして、ユーザ一人一人がそれぞれ専用のリモコンを持つと考え、リモコンＩＤをユーザＩＤとして捉えている。さらに、複数のリモコンが存在しても、１つのリモコンのみが映像視聴装置を制御する制御権を有する構成となっている。また、特許文献１では、他人のリモコンを使用する場合には、ユーザがリモコンに対してユーザＩＤ及びパスワードを入力して、予め記憶されているユーザＩＤ及びパスワードであれば、新たなユーザに合わせたリモコンＩＤを発行するリモコンも提案されている。
【特許文献１】特開２００４−１５３７０２号公報
【発明の開示】
【発明が解決しようとする課題】
【０００３】
しかしながら、特許文献１に記載の番組制御装置では、リモコンＩＤをユーザＩＤとして捉えているため、１つのリモコンを複数のユーザが使用する場合には、どのユーザが使用しているのかを的確に認識できないという問題点があった。さらに、番組制御装置の制御権を有するのは１つのリモコンのみであり、複数のリモコンからの指示を受け付けられないという問題点もあった。また、リモコンを使用する際に、ユーザがリモコンに対してユーザＩＤとパスワードを入力して、リモコンの使用者を変更する場合には、リモコンに予めユーザＩＤ及びパスワードが記憶されていなければ、ユーザはそのリモコンを自分のリモコンとして使用することができないという問題点がある。つまり、ユーザは、予め自身のユーザＩＤ及びパスワードを記憶させたリモコンしか使用できない。よって、複数のリモコンからの指示を受け付け、さらに、リモコンを使用するユーザがリモコンごとに決められていない機器において、リモコンを使用しているユーザを識別することはできないという問題点がある。
【０００４】
本発明は、上述の問題点を解決するためになされたものであり、複数のリモコンからの指示を受け付ける機器であって、各々のリモコンを使用しているユーザを識別して指示を受け付ける機器、及び、コンピュータを当該機器として機能させる機器プログラムを提供することを目的とする。
【課題を解決するための手段】
【０００５】
上記課題を解決するため、請求項１に係る発明の機器では、複数のリモコンからの指示を受け付ける機器であって、ユーザを識別するユーザ識別情報を記憶したユーザ識別情報記憶媒体から取得するユーザ識別情報取得手段と、当該機器に備えられた前記リモコンを識別するリモコン識別情報に対応付けて、当該リモコンを使用するユーザであるリモコン使用者の前記ユーザ識別情報を記憶するリモコン使用者記憶手段と、前記ユーザ識別情報取得手段により取得された前記ユーザ識別情報を、前記リモコン識別情報に対応付けて前記リモコン使用者記憶手段に記憶する対応付け手段とを備えている。
【０００６】
また、請求項２に係る発明の機器では、請求項１に記載の発明の構成に加えて、情報を表示する表示手段と、当該機器に対する指示を示す指示情報及び前記リモコン識別情報を前記リモコンから取得する指示取得手段と、前記指示取得手段により取得された前記リモコン識別情報に対応付けられて前記リモコン使用者記憶手段に記憶されている前記ユーザ識別情報又は前記ユーザ識別情報に基づく情報を、前記指示情報の示す指示に応じて前記表示手段に表示させる表示制御手段とを備えている。
【０００７】
また、請求項３に係る発明の機器では、請求項２に記載の発明の構成に加えて、ユーザに関する情報であるユーザ情報を前記ユーザ識別情報に対応して記憶するユーザ情報記憶手段を備え、前記表示制御手段は、前記ユーザ識別情報に対応して前記ユーザ情報記憶手段に記憶されている情報を前記ユーザ識別情報に基づく情報として前記表示手段に表示することを特徴とする。
【０００８】
また、請求項４に係る発明の機器では、請求項２に記載の発明の構成に加えて、前記ユーザ識別情報に基づく情報は、ユーザの氏名であり、前記表示制御手段は、前記ユーザ識別情報に基づく情報であるユーザの氏名を前記表示手段に表示することを特徴とする。
【００１０】
また、請求項５に係る発明の機器では、請求項１乃至４のいずれかに記載の発明の構成に加えて、前記リモコンがユーザに持たれたことを示す所持情報を前記リモコンから取得する所持情報取得手段を備え、前記対応付け手段は、前記ユーザ識別情報取得手段により前記ユーザ識別情報が取得された場合に、前記リモコンのいずれかから前記所持情報を取得した場合に、当該所持情報の取得元の前記リモコンである所持リモコンの前記リモコン識別情報に対応付けて前記リモコン使用者記憶手段に記憶することを特徴とする。
【００１１】
また、請求項６に係る発明の機器では、請求項５に記載の発明の構成に加えて、前記リモコン使用者記憶手段においてリモコン使用者が対応付けられていない前記リモコンである未対応リモコンを報知する報知手段を備え、前記対応付け手段は、前記ユーザ識別情報取得手段により前記ユーザ識別情報が取得された際に、前記報知手段により前記未対応リモコンを報知し、前記所持リモコンが前記未対応リモコンであった場合に、前記所持リモコンの前記リモコン識別情報に対応付けて前記リモコン使用者記憶手段に記憶することを特徴とする。
【００１２】
また、請求項７に係る発明の機器では、請求項５に記載の発明の構成に加えて、前記対応付け手段は、前記所持リモコンが、前記リモコン使用者記憶手段においてリモコン使用者が対応付けられていない前記リモコンである未対応リモコンである場合にのみ、前記所持リモコンの前記リモコン識別情報に対応付けて前記リモコン使用者記憶手段に記憶することを特徴とする。
【００１３】
また、請求項８に係る発明の機器では、請求項１乃至４のいずれかに記載の発明の構成に加えて、前記リモコンがユーザに持たれたことを示す所持情報を前記リモコンから取得する所持情報取得手段を備え、前記対応付け手段は、前記所持情報取得手段により前記所持情報が取得された場合に、前記リモコン使用者記憶手段において、前記所持情報を送信した前記リモコンの前記リモコン識別情報に前記ユーザ識別情報が対応付けられていなければ、前記ユーザ識別情報取得手段により前記ユーザ識別情報を取得し、前記所持情報を送信した前記リモコンの前記リモコン識別情報に対応させて前記リモコン使用者記憶手段に記憶させることを特徴とする。
【００１４】
また、請求項９に係る発明の機器では、請求項５又は８に記載の発明の構成に加えて、前記ユーザ識別情報取得手段により前記ユーザ識別情報を取得した後、前記所持情報取得手段により前記所持情報を取得した際に、当該ユーザ識別情報で識別されるユーザをログイン状態とするログイン制御手段と、前記ログイン状態を解除するログアウト制御手段とを備えている。
【００１５】
また、請求項１０に係る発明の機器プログラムでは、請求項１乃至９のいずれかに記載の機器の各種処理手段としてコンピュータを動作させることを特徴とする。
【発明の効果】
【００１７】
請求項１に係る発明の機器では、複数のリモコンからの指示を受け付ける機器において、ユーザを識別するユーザ識別情報を記憶したユーザ識別情報記憶媒体から取得し、ユーザ識別情報とリモコン識別情報とを対応付けることにより、リモコンとユーザ（リモコン使用者）とを対応付けることができる。よって、リモコンからの指示を特定のユーザからの指示として識別することができる。したがって、リモコンからの指示をユーザに応じて処理するために利用できる。例えば、ユーザごとに許可する指示，許可しない指示を設けて制御したり、ユーザごとに指示履歴を記録したり、当該機器に表示手段を設けて、ユーザからの指示をユーザを特定できる形で表示させたりすることに利用できる。
【００１８】
また、請求項２に係る発明の機器では、請求項１に記載の発明の効果に加えて、情報を表示する表示手段が設けられており、リモコンからの指示に応じて、当該リモコンのリモコン使用者のユーザ識別情報又はユーザ識別情報に基づく情報が表示手段に表示される。したがって、表示手段を見ているユーザは、リモコンからの指示に応じた処理がどのユーザからの指示に応じてなされた処理であるかを知ることができる。
【００１９】
また、請求項３に係る発明の機器では、請求項２に記載の発明の効果に加えて、ユーザ情報記憶手段には、ユーザ識別情報に対応してユーザに関する情報であるユーザ情報が記憶されている。よって、表示制御手段は、ユーザ識別情報に基づく情報としてユーザ情報を、リモコンからの指示に応じて、表示手段に表示させることができる。よって、ユーザ識別情報自体を表示するよりも、表示手段を見ているユーザにとって、どのユーザからの指示に応じてなされた処理であるかを認識しやすくなる。
【００２０】
また、請求項４に係る発明の機器では、請求項２に記載の発明の効果に加えて、表示制御手段は、ユーザ識別情報としてユーザの氏名を表示手段に表示させることができる。また、ユーザ識別情報をそのまま表示させることができるので、簡素な処理で表示手段を見ているユーザからの指示に応じてなされた処理であるかを知らせることができる。また、表示手段を見ているユーザは、どのユーザからの指示に応じてなされた処理であるかを氏名により認識できるので、認識しやすい。
【００２２】
また、請求項５に係る発明の機器では、請求項１乃至４のいずれかに記載の発明の効果に加えて、ユーザ識別情報が取得された際に、リモコンからユーザに持たれたことを示す所持情報を取得したら、そのリモコンにユーザ識別情報を対応付けてリモコン使用者記憶手段に記憶することができる。よって、ユーザはリモコンを使用したい際に、ユーザ識別情報を機器に取得させ、使いたいリモコンを持つことによって、持ったリモコンのリモコン使用者となることができる。
【００２３】
また、請求項６に係る発明の機器では、請求項５に記載の発明の効果に加えて、ユーザ識別情報が取得された際に、その時点でリモコン使用者が対応付けられていない未対応リモコン（使用中でないリモコン）を報知し、ユーザが持ったリモコンが報知リモコンである場合、つまり、ユーザが持ったリモコンが視聴中でないリモコンであった場合に、そのリモコンをユーザ識別情報のユーザに割り当てることができる。ユーザはどのリモコンが使用可能であるか知ることができる。よって、他のユーザが使用中のリモコンを使おうとしてしまうことを回避できる。また、使用中でないリモコンのうち１つを報知リモコンとすれば、機器はユーザに使用させるリモコンを指定することができる。また、使用中でないリモコンのうち複数のリモコンを報知すれば、ユーザにリモコンを選ばせることができる。
【００２４】
また、請求項７に係る発明の機器では、請求項５に記載の発明の効果に加えて、ユーザ識別情報が取得された際に、ユーザが持ったリモコンが未対応リモコンであれば、そのリモコンをユーザに割り当てることができる。よって、ユーザが持ったリモコンが未対応リモコンでなく使用中のリモコンであれば、割り当てられないので、既に他のユーザに使用されているリモコンを新たに割り当ててしまうことがない。
【００２５】
また、請求項８に係る発明の機器では、請求項１乃至４のいずれかに記載の発明の効果に加えて、ユーザが持ったリモコンに対して、まだリモコン使用者が対応付けられていなければ、ユーザ識別情報を取得して、取得されたユーザ識別情報をユーザが持ったリモコンに対応付けることができる。よって、ユーザは持ったリモコンが使用中でなければ、ユーザ識別情報を機器に取得させることによって、そのリモコンの使用者となることができる。
【００２６】
また、請求項９に係る発明の機器では、請求項５又は８に記載の発明の効果に加えて、ユーザ識別情報の取得によりユーザを機器に対するログイン状態とすることができる。よって、ユーザの機器の使用状況を管理することができる。
【００２７】
また、請求項１０に係る発明の機器プログラムでコンピュータに実行させることにより、請求項１乃至９のいずれかに記載の機器と同様の効果を奏することができる。
【発明を実施するための最良の形態】
【００２９】
以下、本発明の実施の形態を図面を参照して説明する。まず、図１及び図２を参照して、本実施の形態のリモコン制御システムについて説明する。図１は、リモコン制御システムの構成を示すシステム構成図である。図２は、リモコンによる指示に基づくポインタを表示した画面の模式図である。本実施の形態では、リモコン制御装置１は、大型のディスプレイを備えた表示装置４に接続している。そして、４台のリモコン３０１〜３０４からの指示を受け付ける。なお、リモコン３０１〜３０４をまとめてリモコン３というものとする。リモコン３は、自身の位置情報及びリモコンＩＤ（リモコンを識別するための識別情報）をリモコン制御装置１に対して、定期的（例えば、２０ミリ秒ごと）に出力する。そして、リモコン制御装置１では、リモコン３から受信した位置情報に基づいて表示装置のディスプレイ上にアイコンを表示させる。図２に示すように、画面には、複数のアイコンが表示される。図２では、丸型のアイコンが示されている。ここでは、３つのリモコンが使用中であるものとする。そして、３つのリモコンに対応した３つのアイコン１０１〜１０３が表示されている。そして、アイコン１０１〜１０３の近傍には、それぞれのアイコンを使用している人物の氏名が表示されており、誰がどのアイコンをリモコン３で操作しているかがわかるようになっている。
【００３０】
また、リモコン３を画面に向け、決定ボタン３７（図７参照）を押すと、リモコン３が向けられている位置に指示ボタンが表示されていれば、そのボタンを選択する指示がなされたものとされる。例えば、図２に示す例では画面にはメニューボタン１１１及びログアウトボタン１１２が設けられている。リモコン３を画面に向け、ポインタをメニューボタン１１１に合わせて、決定ボタン３７を押すと、メニューボタン１１１がポインタを表示させているリモコン３により選択されたものとして、メニュー画面が表示され。また、ログアウトボタン１１２にリモコン３を向けて、ポインタを合わせ、決定ボタン３７を押すと、そのリモコン３を使用しているユーザはログアウトされる。
【００３１】
また、リモコン制御装置１は、ネットワーク５を介してサーバ２に接続している。ネットワーク５は、ＬＡＮでもよいし、インターネット等のネットワークでもよい。そして、サーバ２には、ユーザに関する情報（ユーザＩＤ，氏名等）が記憶されいる。画面上に表示される氏名は、サーバ２に記憶されている情報が使用される。
【００３２】
また、ユーザカード６には、ユーザを識別するユーザＩＤが記憶されている。ユーザは、リモコンを使用する際には、リモコン制御装置１にユーザカード６をかざし、ユーザＩＤ読み取らせる。すると、リモコン制御装置１は、未使用のリモコン３を報知する。そして、ユーザが報知されたリモコン３を手に取ることにより、リモコン３から「持たれた」ことを示す信号がリモコン制御装置１に出力され、リモコン制御装置１で報知された未使用のリモコンに、ユーザが割り当てられ、リモコンとユーザとが対応付けられる。
【００３３】
次に、図３及び図４を参照して、リモコン制御装置１の電気的構成について説明する。図３は、リモコン制御装置１の電気的構成を示す模式図であり、図４は、リモコン制御装置１のハードディスク装置１４に設けられているリモコン対応情報記憶エリア１４１の構成を示す模式図である。
【００３４】
図３に示すように、リモコン制御装置１には、リモコン制御装置１を制御するＣＰＵ１０，ＲＯＭ１１，ＲＡＭ１２及び入出力インターフェース１９が備えられており、これらはバス１８によって相互に接続されている。入出力インターフェース１９には、カードリーダ１３，ハードディスク装置１４，リモコン通信装置１５，ビデオコントローラ１６，通信装置１７が各々接続されている。カードリーダ１３には、ＲＦ回路が設けられており、ＩＣタグを呼び出す呼出波を出力し、ＩＣタグから出力された反射波を受信して、反射波を解析して情報を取り出す。なお、ユーザカード６には、ユーザＩＤが書き込まれたＩＣタグが埋め込まれており、カードリーダ１３のＲＦ回路に接続したアンテナに近づけ、カードリーダ１３から出力された呼出波を受信すると、記憶されているユーザＩＤを記載した反射波を出力する。そして、リモコン通信装置１５には、赤外線受信回路が設けられており、リモコン３から出力された信号を解析し情報を取り出す。ビデオコントローラ１６には表示装置４が接続しており、情報を表示装置４へ表示する制御を行う。通信装置１７は、ネットワーク５を介してサーバ２に接続する制御を行う。
【００３５】
ＲＯＭ１１には、リモコン制御装置１を動作させる各種制御プログラムや、制御プログラムで使用される種々の値が記憶されている。ＲＡＭ１２には、各種制御プログラムで使用される情報が一時的に記憶される。ハードディスク装置１４には、リモコンＩＤとユーザＩＤとを対応付けたリモコン対応情報記憶エリア１４１（図４参照）が少なくとも設けられている。図４に示すように、リモコン対応情報記憶エリア１４１には、データ項目として「リモコンＩＤ」及び「ユーザＩＤ」が設けられており、リモコンＩＤには、リモコン制御装置１で使用可能なリモコン３の識別情報であるリモコンＩＤが記憶されている。図４に示す例では、「Ｒ００１」，「Ｒ００２」，「Ｒ００３」，「Ｒ００４」の４つのリモコンが登録されている。そして、そのリモコンＩＤに対応して、当該リモコンに対応付けられているユーザの識別情報であるユーザＩＤが記憶される。図４に示す例では、「Ｒ００１」にはユーザＩＤ「Ｙ００４」が対応付けられており、「Ｒ００２」にはユーザＩＤ「Ｙ００３」が対応付けられており、「Ｒ００４」にはユーザＩＤ「Ｙ００１」が対応付けられている「Ｒ００３」にはユーザＩＤが割り当てられていない。以下、ユーザＩＤが対応付けられていないリモコンＩＤを有するリモコン３を「未対応リモコン」といい、対応付けられているリモコンＩＤを有するリモコンを「使用中リモコン」という。
【００３６】
次に、図５及び図６を参照して、サーバ２の電気的構成について説明する。図５は、サーバ２の電気的構成を示す模式図であり、図６は、サーバ２のハードディスク装置２４に設けられているユーザ情報記憶エリア２４１の構成を示す模式図である。
【００３７】
図５に示すように、サーバ２には、サーバ２を制御するＣＰＵ２０，ＲＯＭ２１，ＲＡＭ２２及び入出力インターフェース２９が備えられており、これらはバス２８によって相互に接続されている。入出力インターフェース２９には、ハードディスク装置２４，キーコントローラ２５，ビデオコントローラ２６，通信装置２７が各々接続されている。キーコントローラ２５には、キーボード２５１が接続しており、キーボード２５１からの入力を受け付ける。ビデオコントローラ２６には表示装置２６１が接続しており、情報を表示装置２６１へ表示する制御を行う。通信装置２７は、ネットワーク５を介してリモコン制御装置１に接続する制御を行う。
【００３８】
ＲＯＭ２１にはサーバ２を動作させる各種制御プログラムや、制御プログラムで使用される種々の値が記憶されている。ＲＡＭ２２には、各種制御プログラムで使用される情報が一時的に記憶される。ハードディスク装置２４には、ユーザに関するユーザ情報を記憶するユーザ情報記憶エリア２４１（図６参照）が少なくとも設けられている。図６に示すように、リモコン対応情報記憶エリア１４１には、データ項目として「ユーザＩＤ」，「氏名」，「所属」，「ログイン状態」が設けられている。そして、ユーザＩＤに対応して、氏名，所属，ログイン状態を示す値が記憶される。なお、「氏名」は「苗字」及び「名前」を含む。図６に示す例では、ユーザＩＤ「Ｙ００１」の氏名の苗字は「加藤」、氏名の名前は「太郎」、所属は「総務部」であり、ログイン状態は「ＯＮ」である。ユーザＩＤ「Ｙ００２」の氏名の苗字は「佐藤」、氏名の名前は「順子」、所属は「人事部」であり、ログイン状態は「ＯＮ」である。ユーザＩＤ「Ｙ００３」の氏名の苗字は「中本」、氏名の名前は「久美子」、所属は「営業部」であり、ログイン状態は「ＯＦＦ」である。ユーザＩＤ「Ｙ００４」の氏名の苗字は「高木」、氏名の名前は「一郎」、所属は「システム部」であり、ログイン状態は「ＯＮ」である。
【００３９】
次に、図７を参照して、リモコン３の電気的構成について説明する。図７は、リモコン３の電気的構成を示す模式図である。図７に示すように、リモコン３には、リモコン３を制御するＣＰＵ３０，ＲＯＭ３１，ＲＡＭ３２及び入出力インターフェース３９が備えられており、これらはバス３８によって相互に接続されている。入出力インターフェース３９には、受光部３４，出力部３５，加速度センサ３６，決定ボタン３７が各々接続されている。受光部３４では、表示装置４のディスプレイの下部に設けられている発光部で発行されている光を検出し、光源の位置を解析する。出力部３５は、赤外線に載せてリモコン制御装置１へ信号を出力する。加速度センサ３６は、リモコン３が動かされたことを検出するために設けられた周知の加速度センサである。決定ボタン３７は、リモコン３の入力手段である。
【００４０】
次に、図８を参照して、リモコン制御装置１のＣＰＵ１０がリモコン対応プログラムを実行することにより行われるリモコン対応処理について説明する。図８は、リモコン対応処理のフローチャートである。本処理は、リモコン制御装置１に電源が投入され、初期処理が行われた後に実行される。
【００４１】
まず、ユーザカード受付処理が行われる（Ｓ１）。カードリーダ１３とユーザカード６とのＲＦ通信が行われることによるユーザＩＤの取得が待機される。カードリーダ１３では、定期的に呼出波が出力されており、呼出波が届く範囲内にユーザカード６が存在すると、ユーザカード６のＩＣタグから返送される反射波を受信する。そして、受信した反射波からＩＣタグに記憶されていたユーザＩＤが抽出され、抽出されたユーザＩＤがＣＰＵ１０に伝えられる。ここで受け付けられたユーザＩＤを「受付ユーザＩＤ」と呼ぶ。ユーザカード受付処理において、カードリーダ１３により受付ユーザＩＤが取得されたら（Ｓ１）、ＲＡＭ１２の所定の記憶エリアに受付ユーザＩＤが記憶される（Ｓ２）。そして、サーバ問合せ処理が行われる（Ｓ３）。このサーバ問合せ処理では、サーバ２へ取得されたユーザＩＤが送信される。そして、サーバ２では、送信されたユーザＩＤがユーザ情報記憶エリア２４１に記憶されているか否かの判断を行い、記憶されていれば、当該ユーザの「ログイン状態」を「仮」とし、リモコン制御装置１へ「登録済み」の応答情報を出力する。また、ユーザ情報記憶エリア２４１に記憶されていなければ、「登録なし」の応答情報を出力する。そこで、リモコン制御装置１は、サーバ２からの応答情報を受信する。
【００４２】
そして、サーバ２から送信された応答情報が「登録済み」であるか否かの判断が行われる（Ｓ４）。「登録済み」でなければ（Ｓ４：ＮＯ）、表示装置４に「ユーザＩＤが未登録である」旨のメッセージのアラート表示が表示される（Ｓ１３）。そして、Ｓ１へ戻り、ユーザカード受付処理が行われる（Ｓ１）。また、応答情報が「登録済み」であれば（Ｓ４：ＹＥＳ）、未対応リモコンがあるか否かの判断が行われる（Ｓ５）。具体的には、リモコン対応情報記憶エリア１４１が参照され、「ユーザＩＤ」に対応されたユーザＩＤが記憶されていないリモコンＩＤがあるか否かが判断される。対応するユーザＩＤが記憶されていないリモコンＩＤがなければ、すべてのリモコンにユーザが対応されているので、未対応リモコンはない（Ｓ５：ＮＯ）。そこで、表示装置４に「使用できるリモコンがない」旨のメッセージのアラート表示が表示される（Ｓ１４）。そして、Ｓ１へ戻り、ユーザカード受付処理が行われる（Ｓ１）。また、ユーザＩＤが記憶されていないリモコンＩＤがあれば、未対応リモコンがあると判断される（Ｓ５：ＹＥＳ）。そこで、未対応リモコンにユーザカードの示すユーザが対応付けられる（Ｓ６）。具体的には、リモコン対応情報記憶エリア１４１において、ユーザＩＤが記憶されていないリモコンＩＤのうちの任意のリモコンＩＤに対応した「ユーザＩＤ」に、受付ユーザＩＤが記憶される。図４に示す例では、リモコンＩＤ「Ｙ００４」のユーザＩＤに記憶される。
【００４３】
そして、Ｓ６において対応付けられた未対応リモコンがユーザに報知される（Ｓ７）。この報知される未対応リモコンを「報知リモコン」と呼ぶ。報知の方法としては、リモコンＩＤを表示装置４に表示させればよい。また、リモコンＩＤに対応させて、よりユーザにわかりやすい名称（例えば、「Ａ」，「Ｂ」という符号、「１」，「２」という番号、愛称）を予め記憶しておき、表示させてもよい。また、リモコン３にランプを設け、ランプを点灯させてもよい。この場合には、リモコン制御装置１からリモコン３へ報知指示信号を出力して、リモコン３では報知指示信号を受信したら、ランプを点灯させる。
【００４４】
次いで、報知リモコンから送信された「所持情報」を受信したか否かの判断が行われる（Ｓ８）。所持情報とは、リモコン３が持たれたことを示す情報である。リモコン３では、加速度センサ３６により自身が動いたことを検出すると、ユーザが持っているものとして「所持情報」をリモコン制御装置１へ送信する。そこで、「所持情報」を受信しなければ（Ｓ８：ＮＯ）、ユーザへリモコンを報知してから所定時間（例えば、３０秒）が経過したか否かの判断が行われ（Ｓ１０）、経過していなければ（Ｓ１０：ＮＯ）、Ｓ８へ戻り、「所持情報」の受信判断が行われる（Ｓ８）。Ｓ８，Ｓ１０の処理が繰り返し行われる中で、報知リモコンから「所持情報」を受信したら（Ｓ８：ＹＥＳ）、報知リモコンをユーザが持ったと解することができる。そこで、サーバ２に報知リモコンに受付ユーザＩＤが対応付けられ、使用状態となった旨を通知する「使用可能情報」が送信される（Ｓ９）。サーバ２では、「使用可能情報」を受けると、「仮」とされている当該ユーザのユーザ情報記憶エリアの「ログイン状態」を「ＯＮ」とする。サーバ２への通知が行われたら（Ｓ９）、Ｓ１へ戻り、ユーザカード受付処理が行われる（Ｓ１）。
【００４５】
なお、所定時間以内に「所持情報」を受信しなければ（Ｓ１０：ＹＥＳ）、リモコン対応情報記憶エリア１４１の報知リモコンに対応したユーザのリモコンＩＤがクリアされ（Ｓ１１）、サーバ２へ受付ユーザＩＤの「ログアウト情報」が送信される（Ｓ１２）。サーバ２では、「ログアウト情報」を受信したら、「仮」とされている当該ユーザのユーザ情報記憶エリアの「ログイン状態」を「ＯＦＦ」とする。そして、リモコン制御装置では、サーバ２へログアウト情報を送信したら（Ｓ１２）、Ｓ１へ戻り、ユーザカード受付処理が行われる（Ｓ１）。
【００４６】
以上のようにして、ユーザカードを受け付けると、受付ユーザがサーバ２に登録されているユーザであるかの認証が行われる。登録済みのユーザであれば、未対応リモコンを受付ユーザに対応付け、ユーザに報知する。そして、報知リモコンが持たれたことを検知したら、サーバ２へその旨を通知する。サーバでは、この通知（使用可能情報）を受信することにより、受付ユーザのログインを完了させる。
【００４７】
このようにして、リモコン３を使用しようとしたユーザに対して、未対応のリモコン３を割り当てることができる。これにより、リモコン制御装置は、リモコン３がどのユーザにより操作されているかを認識することができる。また、サーバ２において、ユーザのログイン管理を行っているので、このユーザが種々の指示を行う際に、可能な指示に制限を与えることができる。例えば、リモコン３の指示によりデータファイルの情報を表示装置４に表示させることができる場合には、表示装置４に表示させる情報に制約を与えることができる
【００４８】
次に、図９を参照して、リモコン制御装置１のＣＰＵ１０がポインタ表示プログラムを実行することにより行われるポインタ表示処理について説明する。図９は、ポインタ表示処理のフローチャートである。この処理は、所定期間（例えば、２０ミリ秒）ごとに開始される。つまり、リモコン制御装置１が起動している間、繰り返し実行される。
【００４９】
まず、リモコン対応情報記憶エリア１４１が参照され、ユーザＩＤが対応付けられている使用中リモコンのリモコンＩＤが取得される（Ｓ３１）。このリモコンＩＤを「処理リモコンＩＤ」と呼ぶ。そして、処理リモコンＩＤに対応付けられているユーザＩＤがリモコン対応情報記憶エリア１４１から取得される（Ｓ３２）。このユーザＩＤを「処理ユーザＩＤ」という。そして、サーバ２から処理ユーザＩＤのユーザの「苗字」が取得される（Ｓ３３）。具体的には、サーバ２へ処理ユーザＩＤを含む「苗字要求情報」が送信される。そして、サーバ２では、「苗字要求情報」を受信すると、ユーザ情報記憶エリア２４１から処理ユーザＩＤに対応した「苗字」が読み出され、「苗字応答情報」としてリモコン制御装置１を送信する。そこで、リモコン制御装置１では、「苗字応答情報」を受信することにより、処理ユーザＩＤに対応した「苗字」を取得することができる。
【００５０】
次いで、処理リモコンＩＤで特定されるリモコンの位置情報の取得処理が行われる（Ｓ３４）。具体的には、リモコン３から受信した位置情報及びリモコンＩＤのうち、処理リモコンＩＤと共に受信した位置情報が取得される。そして、周知の方法で、位置情報から表示装置４の画面のどの位置を指し示しているかが算出され、ポインタが表示される（Ｓ３５）。そして、ポインタの近傍に、Ｓ３３で取得された苗字が表示される（Ｓ３６）。次いで、すべての使用中リモコンに対してＳ３１０〜Ｓ３６の処理が行われたか否かの判断が行われる（Ｓ３７）。使用中リモコンのうちで処理リモコンとされていないリモコンがあれば（Ｓ３７：ＮＯ）、Ｓ３１へ戻り、処理リモコンとされていない使用中リモコンのリモコンＩＤが取得され（Ｓ３１）、ポインタ表示のための処理が行われる（Ｓ３２〜Ｓ３６）。そして、Ｓ３１〜Ｓ３７の処理が繰り返し行われ、すべての使用中リモコンの処理が行われたら（Ｓ３７：ＹＥＳ）、ポインタ表示処理は終了する。
【００５１】
以上のようにして、リモコン制御装置１では、どのユーザに使用されているリモコン３からの指示であるかを識別し、表示装置４のディスプレイに表示されている画面にどのユーザからの指示により表示させているアイコンであるかを識別可能に表示することができる。
【００５２】
次に、図１０を参照して、リモコン制御装置１のＣＰＵ１０がログアウトプログラムを実行することにより行われるログアウト処理について説明する。図１０は、ログアウト処理のフローチャートである。この処理は、表示装置４のディスプレイに表示されている画面のログアウトボタン１１２にポインタが位置している状態で、決定ボタン３７が押されると開始される。具体的には、リモコン制御装置１において、決定ボタン３７が押下された旨及びリモコン３の位置情報を含む信号（決定信号）が送信された場合に、位置情報から算出される画面上の位置にログアウトボタン１１２が表示されていれば、その信号を送信したリモコンに対するログアウト処理が実行される。
【００５３】
まず、表示装置４のディスプレイに「ログアウトしてよろしいですか？」のメッセージ，ログアウト指示をしたリモコン３のリモコンＩＤ，リモコンＩＤに対応しているユーザＩＤ，対応したユーザＩＤで特定されるユーザの苗字，ＯＫボタン，キャンセルボタンが表示される（Ｓ４１）。そして、指示受付処理が行われる（Ｓ４２）。具体的には、所定時間（例えば、１分）、ログアウト指示をしたリモコン３からの決定信号の受信が待機される。ＯＫボタンの位置にリモコンを向けている場合、ＯＫが選択されたとされる（Ｓ４３：ＹＥＳ）。また、所定時間、決定信号を受信できなかったり、キャンセルボタンの位置にリモコンを向けている場合、ＯＫが選択されていないとされる（Ｓ４３：ＮＯ）。
【００５４】
ＯＫが選択されていれば（Ｓ４３：ＹＥＳ）、ログアウト処理が行われる（Ｓ４４）。具体的には、リモコン対応情報記憶エリア１４１の、ログアウト指示したリモコンのリモコンＩＤに対応したユーザＩＤがクリアされる。さらに、サーバ２に対して、この「ユーザＩＤ」がログアウトする旨の「ログアウト情報」が送信される。サーバ２では、「ログアウト情報」を受信したら、「ＯＮ」とされている当該ユーザのユーザ情報記憶エリアの「ログイン状態」を「ＯＦＦ」とする。また、ＯＫが選択されていない場合には、そのままログアウト処理は終了する。
【００５５】
以上のようにして、リモコン３からのログアウト指示が受け付けられ、ログイン状態が解除される。
【００５６】
なお、上記実施の形態におけるユーザＩＤが「ユーザ識別情報」に該当し、リモコンＩＤが「リモコン識別情報」に該当する。そして、リモコン制御装置１及びサーバ２が「機器」に該当する。リモコン制御装置１のハードディスク装置１４のリモコン対応情報記憶エリア１４１が「リモコン使用者記憶手段」に該当し、サーバ２のハードディスク装置２４のユーザ情報記憶エリア２４１が「ユーザ情報記憶手段」に該当する。そして、図８に示すリモコン対応処理のＳ１でユーザカードからユーザＩＤを取得する処理を行うリモコン制御装置１のＣＰＵ１０が「ユーザ識別情報取得手段」に相当し、そして、Ｓ６において、リモコンＩＤに対応付けてユーザＩＤをリモコン対応情報記憶エリア１４１に記憶する処理を行うＣＰＵ１０が「対応付け手段」に相当する。そして、図９に示すポインタ表示処理におけるＳ３４でリモコン３から位置情報及びリモコンＩを受信する処理を行うＣＰＵ１０が「指示取得手段」に相当し、図９に示すポインタ表示処理におけるＳ３６で、ユーザの苗字を表示させる処理を行うＣＰＵ１０が「表示制御手段」に相当する。また、ログアウト指示を受信する処理を行うＣＰＵ１０も「指示取得手段」に相当し、図１０に示すログアウト処理のＳ４１で確認メッセージを表示するＣＰＵ１０が「表示制御手段」に相当する。そして、リモコン対応処理において、「所持情報」を受信する処理を行うＣＰＵ１０が「所持情報取得手段」に相当する。そして、Ｓ７において未対応リモコンを報知する処理を行うＣＰＵ１０が「報知手段」に相当する。そして、リモコン対応処理のＳ９においてログインの処理を行うＣＰＵ１０，サーバ２のＣＰＵ２０が「ログイン手段」に相当する。ログアウト処理のＳ４４において、ユーザのログアウトのための処理を行うＣＰＵ１０，ＣＰＵ２０が「ログアウト手段」に相当する。
【００５７】
なお、本発明機器、機器プログラム及びリモコンは、上記した実施の形態に限定されるものではなく、本発明の要旨を逸脱しない範囲内において種々変更を加え得ることは勿論である。上記実施の形態では、「機器」をリモコン制御装置１とサーバ２として、ネットワークを介して接続した２つの機器で構成したが、一体の機器であってもよいことはいうまでもない。また、リモコン制御装置１を複数備えてもよい。例えば、遠隔会議でリモコン制御システムを用いる場合がある。この場合には、ある場所にある第一のリモコン制御装置１に複数のリモコンが備えられている。そして、別の場所に第二のリモコン制御装置１を設置する。この第二のリモコン制御装置１にも複数のリモコンを備える。そして、両リモコン制御装置１がサーバ２にネットワーク５を介して接続する。そして、夫々のリモコン制御装置１に接続している表示装置４には、同様の画面が表示される。そして、第一のリモコン制御装置に備えられたリモコン３のポインタも、第二のリモコン制御装置に備えられたリモコン３のポインタも表示される。この際には、上記実施の形態にあるように、ポインタの近傍にはリモコン３を使用しているユーザの苗字が表示される。
【００５８】
また、上記実施の形態では、ポインタの横に苗字を表示したが、ここには苗字だけでなく氏名のすべてを表示してもよい。また、氏名でなく、ユーザＩＤそのものを表示してもよい。また、その他のユーザに関する情報（ユーザ情報）を表示してもよい。図６に示す例では、所属の部署である。また、ユーザ毎に画像を登録しておき、その画像を表示してもよい。また、図１１に示すように、ユーザ情報はポインタの近傍に表示せずに、画面内のいずれかの場所に、ポインタとの関係が識別できるように表示してもよい。図１１に示す例では、ポインタの形状を異なる形状とし、ポインタを識別可能とし、画面右下の領域に、ポインタと同じ図柄と氏名を表示させている。また、ポインタの色を異なるものとして識別させてもよい。
【００５９】
上記実施の形態では、ユーザＩＤを記憶したＩＤカードをＩＣタグを用いたものとしたが、記憶媒体及びリモコン制御装置１によるユーザＩＤの読み取り方法はこれに限らない。磁気カードであってもよいし、バーコードを印刷してそれを読み取らせてもよい。また、上記実施の形態ではリモコン制御装置１で使用されるリモコン３を４台としたが、リモコン３の台数はこれに限らない。また、上記実施の形態のリモコン３では、画面にポインタを表示させる指示、ログアウト指示を行ったが、リモコン３からの指示はこれに限らないことは言うまでもない。
【００６０】
また、上記実施の形態では、ユーザカード６からユーザＩＤを取得した後に、未対応リモコンを受付ユーザに対応付け、ユーザに報知して、報知リモコンがユーザに持たれたら、ログインを完了とした。しかしながら、未対応リモコンをユーザに報知しなくてもよい。例えば、図１２のフローチャートに示すように、ユーザカード６からユーザＩＤを取得した後に、最初に持たれたリモコンを受付ユーザに対応付けるようにしてもよい。つまり、ユーザは、ユーザカード６をリモコン制御装置１に読み取らせたら、使用したいリモコンを持ち上げる。そこで、持ち上げたリモコンが未対応リモコンであれば、そのリモコンが対応付けられる。しかし、未対応リモコンでなければアラート表示がなされるので、再度、ユーザカードを読み取らせ、別のリモコンを持ち上げる。図１２は、図８に示したリモコン対応処理の変形例のフローチャートである。図１２に示すフローチャートのＳ１０１〜Ｓ１０５，Ｓ１１３，Ｓ１１４は、図８に示したリモコン対応処理と同様であるので説明を省略する。
【００６１】
ユーザカード６からユーザＩＤが取得され、未対応リモコンがある場合には（Ｓ１０１〜Ｓ１０５：ＹＥＳ）、リモコン３からの「所持情報」を受信したか否かの判断が行われる（Ｓ１０６）。受信しなければ、所定時間の間は、繰り返し「所持情報」の受信の判断が行われる（Ｓ１０６：ＮＯ、Ｓ１１０：ＮＯ）。そして、「所持情報」を受信したら（Ｓ１０６：ＹＥＳ）「所持情報」を送信したリモコン３（以下、「所持リモコン」という）が未対応リモコンであるか否かの判断が行われる（Ｓ１０７）。「所持情報」に含まれるリモコンＩＤの「ユーザＩＤ」がリモコン対応情報記憶エリア１４１から参照され、ユーザＩＤが記憶されていれば、未対応リモコンでない（Ｓ１０７：ＮＯ）。そこで、「持ち上げたリモコンが使用中である」旨のメッセージのアラート表示がなされる（Ｓ１１２）。そして、Ｓ１０１へ戻る。また、リモコン対応情報記憶エリア１４１において所持リモコンに対応したユーザＩＤが記憶されておらず、未対応リモコンであれば（Ｓ１０７：ＹＥＳ）、受付ユーザＩＤが、所持リモコンに対応したユーザＩＤとしてリモコン対応情報記憶エリア１４１に記憶されて、対応付けられる（Ｓ１０８）。そして、サーバ２に報知リモコンに受付ユーザＩＤが対応付けられ、使用状態となった旨を通知する「使用可能情報」が送信される（Ｓ１０９）。サーバ２では、「使用許可情報」を受信したら、「ＯＦＦ」とされている当該ユーザのユーザ情報記憶エリアの「ログイン状態」を「ＯＮ」とする。
【００６２】
以上のようにして、ユーザカード６からユーザＩＤを取得したら、次に持ち上げられたリモコン３を取得されたユーザＩＤのユーザが使用するリモコンとする。これにより、ユーザは使用したいリモコン３が、未対応リモコンであればそのリモコン３を使用することができる。
【００６３】
また、図１２に示した変形例に置いて、Ｓ１０７において、未対応リモコンであるか否かを判断せずに、ユーザが持ったリモコンをそのユーザに対応付けることにしてもよい。
【００６４】
また、上記実施の形態では、ユーザカード６をリモコン制御装置１において読み取り、ユーザＩＤを取得したが、リモコン３にカードリーダ１３を備え、リモコン３においてユーザＩＤを取得してもよい。図１３は、リモコン３においてユーザＩＤを取得する変形例のリモコン対応処理のフローチャートである。リモコン３のカードリーダ１３では、定期的に呼出波が出力されており、呼出波が届く範囲内にユーザカード６が存在すると、ユーザカード６のＩＣタグから返送される反射波を受信する。そして、受信した反射波からＩＣタグに記憶されていたユーザＩＤが抽出され、抽出されたユーザＩＤを載せた「受付ユーザＩＤ情報」が出力部３５からリモコン制御装置１へ出力される。これを受けると、図１３に示す、変形例のリモコン対応処理がＣＰＵ１０で実施される。以下、「受付ユーザＩＤ情報」を出力したリモコンを「出力リモコン」という。
【００６５】
まず、出力リモコンが未対応リモコンであるか否かの判断が行われる（Ｓ２０１）。リモコン対応情報記憶エリア１４１において、出力リモコンのリモコンＩＤに対応したユーザＩＤが記憶されていれば、未対応リモコンでない（Ｓ２０１：ＮＯ）。そこで、「そのリモコンは使用中である」旨のメッセージのアラート表示が行われる（Ｓ２０７）。そして、処理は終了する。リモコン対応情報記憶エリア１４１において、出力リモコンのリモコンＩＤに対応したユーザＩＤが記憶されておらず、出力リモコンが未対応リモコンであれば（Ｓ２０１：ＹＥＳ）、「受付ユーザＩＤ情報」に示されていたＩＤが受付ユーザＩＤとしてＲＡＭ１２の所定の記憶エリアに記憶される（Ｓ２０２）。そして、サーバ２に対する、当該受付ユーザＩＤが登録済みであるか否かの問合せ処理が行われる（Ｓ２０３）。サーバ２からの応答が、登録済みでなければ（Ｓ２０４：ＮＯ）、表示装置４に「ユーザＩＤが未登録である」旨のメッセージのアラート表示が表示される（Ｓ２０８）。一方、サーバ２からの応答が、登録済みであれば（Ｓ２０４：ＹＥＳ）、受付ユーザＩＤが出力リモコンに対応したユーザＩＤとしてリモコン対応情報記憶エリア１４１に記憶され、対応付けられる（Ｓ２０５）。そして、サーバ２に報知リモコンに受付ユーザＩＤが対応付けられ、使用状態となった旨を通知する「使用可能情報」が送信される（Ｓ２０６）。サーバ２では、「使用許可情報」を受信したら、「ＯＦＦ」とされている当該ユーザのユーザ情報記憶エリアの「ログイン状態」を「ＯＮ」とする。
【００６６】
以上のようにして、リモコン３でユーザＩＤが取得された場合にも、リモコン制御装置１において、リモコンとユーザとが対応付けられる。
【図面の簡単な説明】
【００６７】
【図１】リモコン制御システムの構成を示すシステム構成図である。
【図２】リモコンによる指示に基づくポインタを表示した画面の模式図である。
【図３】リモコン制御装置１の電気的構成を示す模式図である。
【図４】リモコン制御装置１のハードディスク装置１４に設けられているリモコン対    応情報記憶エリア１４１の構成を示す模式図である。
【図５】サーバ２の電気的構成を示す模式図である。
【図６】サーバ２のハードディスク装置２４に設けられているユーザ情報記憶エリア    ２４１の構成を示す模式図である。
【図７】リモコン３の電気的構成を示す模式図である。
【図８】リモコン対応処理のフローチャートである。
【図９】ポインタ表示プログラムのフローチャートである。
【図１０】ログアウト処理のフローチャートである。
【図１１】リモコンによる指示に基づくポインタを表示した変形例の画面の模式図で    ある。
【図１２】図８に示したリモコン対応処理の変形例のフローチャートである。
【図１３】リモコン３においてユーザＩＤを取得する変形例のリモコン対応処理のフローチャートである。
【符号の説明】
【００６８】
１  リモコン制御装置
２  サーバ
３  リモコン
４  表示装置
５  ネットワーク
６  ユーザカード
１０  ＣＰＵ
１３  カードリーダ
１４  ハードディスク装置
１５  リモコン通信装置
１７  通信装置
２０  ＣＰＵ
２４  ハードディスク装置
２７  通信装置
３０  ＣＰＵ
３４  受光部
３５  出力部
３６  加速度センサ
３７  決定ボタン
１１２  ログアウトボタン
１４１  リモコン対応情報記憶エリア
２４１  ユーザ情報記憶エリア
２６１  表示装置
１０１〜１０３  アイコン
３０１〜３０３  リモコン
【図１】
0004905396.tif 000002
【図２】
0004905396.tif 000003
【図３】
0004905396.tif 000004
【図４】
0004905396.tif 000005
【図５】
0004905396.tif 000006
【図６】
0004905396.tif 000007
【図７】
0004905396.tif 000008
【図８】
0004905396.tif 000009
【図９】
0004905396.tif 000010
【図１０】
0004905396.tif 000011
【図１１】
0004905396.tif 000012
【図１２】
0004905396.tif 000013
【図１３】
0004905396.tif 000014